(57)【要約】【課題】本発明は電子装置の有線機能と無線機能を切り替えることができる無線モジュールを提供する。【解決手段】本発明は有線と無線を切り替える機能を有する電子装置を提供する。電子装置は電子装置本体、無線モジュール及び充電電池を含む。有線方式でプラグ接続部を介してホストに接続する場合、電子装置は有線方式でホストとのデータ通信を行い、又は、無線方式でホストに接続させる場合、電子装置は無線方式で無線モジュールを介してホストとのデータ通信を行う。また、ソフトウェア設定、電子装置のマイクロコントローラーによる自動判断、機械式スイッチのいずれかにより、電子装置の有線と無線の伝送機能を切り替える。【選択図】図１
2014235672.tif 000002
【特許請求の範囲】
【請求項１】
プラグ接続部、第１の収容部及び第２の収容部を含み、選択的にホストに接続される電子装置本体と、
前記第１の収容部に配置され、モバイル装置のソフトウェア設定の操作により電子装置に対してコンフィギュレーション設定を行うための無線モジュールと、
前記第２の収容部に配置され、前記電子装置に電力を供給するための充電電池と、を含み、
有線方式で前記プラグ接続部を介して前記電子装置を前記ホストに接続する場合、前記電子装置は前記有線方式で前記ホストとのデータ通信を行い、又は、無線方式で前記電子装置を前記ホストに接続させる場合、前記電子装置は前記無線方式で前記無線モジュールを介して前記ホストとのデータ通信を行い、
前記ソフトウェア設定、前記電子装置のマイクロコントローラーによる自動判断、機械式スイッチのいずれかにより、前記電子装置の有線による伝送機能と無線による伝送機能を切り替えることを特徴とする有線と無線を切り替える機能を有する電子装置。
【請求項２】
前記無線方式で前記電子装置を前記ホストに接続させる場合、前記無線モジュールは無線通信インターフェースであることを特徴とする請求項１に記載の有線と無線を切り替える機能を有する電子装置。
【請求項３】
前記電子装置本体はマウス、キーボード、イヤホンのいずれかであり、前記モバイル装置は携帯電話、タブレット型コンピューターのいずれかであることを特徴とする請求項１または２に記載の有線と無線を切り替える機能を有する電子装置。
【請求項４】
前記有線方式で前記プラグ接続部を介して前記ホストに接続する場合、前記ホストは前記充電電池を充電することを特徴とする請求項１〜３のいずれか１項に記載の有線と無線を切り替える機能を有する電子装置。
【請求項５】
前記無線モジュールの通信規格はブルートゥース（登録商標）通信規格又はＺｉｇｂｅｅ（登録商標）通信規格であることを特徴とする請求項１〜４のいずれか１項に記載の有線と無線を切り替える機能を有する電子装置。
【請求項６】
前記電子装置本体は信号処理モジュールを含み、該信号処理モジュールは前記無線モジュールに接続され、且つ充電回路を介して前記充電電池に接続され、前記電子装置と前記ホストとのデータ通信を処理するとともに、前記電子装置のコンフィギュレーション設定の機能を処理することを特徴とする請求項１〜５のいずれか１項に記載の有線と無線を切り替える機能を有する電子装置。
【請求項７】
プラグ接続部と収容部を有し、伝送ケーブルを介して前記プラグ接続部からホストに接続され、電子装置が前記伝送ケーブルを介して前記ホストとのデータ通信を行う電子装置本体と、
前記収容部に配置され、モバイル装置のソフトウェア設定の操作により前記電子装置に対してコンフィギュレーション設定を行う無線モジュールと、を含むことを特徴とする電子装置。
【請求項８】
前記電子装置本体はマウス、キーボード、イヤホンのいずれかであり、前記モバイル装置は携帯電話、タブレット型コンピューターのいずれかであることを特徴とする請求項７に記載の電子装置。
【請求項９】
前記電子装置本体は信号処理モジュールを含み、該信号処理モジュールは前記無線モジュールに接続され、且つ充電回路を介して充電電池に接続され、前記電子装置と前記ホストとのデータ通信を処理するとともに、前記電子装置のコンフィギュレーション設定の機能を処理することを特徴とする請求項７または８に記載の電子装置。
【請求項１０】
前記無線モジュールはデータ伝送通路であることを特徴とする請求項７〜９のいずれか１項に記載の電子装置。
【発明の詳細な説明】
【技術分野】
【０００１】
本発明は無線モジュールに関するものであり、特に電子装置の有線機能と無線機能を切り替えることができる無線モジュールに関するものである。
【背景技術】
【０００２】
科学技術の進歩につれ、コンピューターも広く利用されてきた。マウスはコンピューターの入力ツールとして、コンピューターの操作にはとても役に立つ。その操作を行う時は、マウスをテーブル上に載せて、テーブル上でマウスを移動させることでコンピューターのカーソルをコントロールする。新しい電子製品が続出するにつれ、電子製品に対する消費者の要請も高くなる。従来のマウスは外型が単調で機能が乏しくて、クリアクティブ性に欠けているため、外型及び機能性に対する消費者の要請を満たすことはもうできない。
【０００３】
今の時代はすでにコンピューター時代であり、コンピューターとユーザーをつなげる例えばマウス、キーボードやトラックボールなどの入力装置の役もとても重要である。そのなか、マウスは一番使われ、使い勝手も一番良い。今のマウスはほとんど、例えばモニター画面のスクロールを制御するためのホイールを備える。また、コンピューター及びその周辺機器はすでに我々の日常生活の一部になっており、なかでもマウスはコンピューターとユーザーをつなげる架け橋になるため、その重要性は言うまでもない。そのため、市場上の各主なコンピューター関係業者はマウスをかなり重視し、いろいろな新機能やより使いやすいマウスを開発している。特に無線マウスを開発している。傳統的なマウスはケーブルを介してコンピューターシステムに接続されている。これに対して、無線マウスは従来のケーブルを捨て、その代わりに、無線マウスに対応する無線信号レシーバーを使う。無線マウスはケーブルがないため、ケーブルの長さに制限されることがなく、使用利便性が増える。なお、コンピューター周辺機器の分野にはすでに多くの無線装置が存在しており、例えば、無線マウス、無線イヤホン、無線キーボードなどがある。そのなか、無線マウスは一番使われる無線コンピューター周辺機器である。
【発明の概要】
【発明が解決しようとする課題】
【０００４】
本発明の目的は、電子装置の有線機能と無線機能を切り替えることができる無線モジュールを提供することにある。
【課題を解決するための手段】
【０００５】
本発明は有線及び無線を切り替える機能を有する電子装置を提供する。前記電子装置は電子装置本体、無線モジュール及び充電電池を含む。電子装置本体はプラグ接続部、第１の収容部及び第２の収容部を含み、前記電子装置本体は選択的にホストに接続する。無線モジュールは第１の収容部に配置される。モバイル装置のソフトウェア設定の操作により無線モジュールを介して電子装置に対してコンフィギュレーション（ｃｏｎｆｉｇｕｒａｔｉｏｎ）の設定を行う。充電電池は第２の収容部に配置され、電子装置に電力を供給する。有線方式でプラグ接続部を介してホストに接続する場合、電子装置は有線方式でホストとのデータ通信を行う。一方、無線方式で電子装置をホストに接続させる場合、電子装置は無線方式で無線モジュールを介してホストとのデータ通信を行う。また、ソフトウェア設定、電子装置のマイクロコントローラーによる自動判断、機械式スイッチのいずれかにより、電子装置の有線による伝送機能と無線による伝送機能を切り替える。
【０００６】
本発明の一実施例において、無線方式で電子装置をホストに接続させる場合、無線モジュールは無線通信インターフェースである。
【０００７】
本発明の一実施例において、電子装置本体はマウス、キーボード、イヤホンのいずれかであり、モバイル装置は携帯電話、タブレット型コンピューターのいずれかである。
【０００８】
本発明の一実施例において、有線方式でプラグ接続部を介してホストに接続する場合、ホストは充電電池を充電する。
【０００９】
本発明の一実施例において、無線モジュールの通信規格はブルートゥース（Ｂｌｕｅｔｏｏｔｈ（登録商標））通信規格又はＺｉｇｂｅｅ（登録商標）通信規格である。
【００１０】
本発明の一実施例において、電子装置本体は信号処理モジュールを含み、該信号処理モジュールは無線モジュールに接続され、且つ充電回路を介して充電電池に接続され、電子装置とホストとの間のデータ通信を処理するとともに、電子装置のコンフィギュレーション設定の機能を処理する。
【００１１】
本発明に係る実施例はもう一種の電子装置を提供する。電子装置は電子装置本体及び無線モジュールを含む。電子装置本体はプラグ接続部と収容部を有し、伝送ケーブルを介してプラグ接続部からホストに接続され、伝送ケーブルを介してホストとのデータ通信を行う。無線モジュールは収容部に配置される。モバイル装置のソフトウェア設定の操作により無線モジュールを介して電子装置に対してコンフィギュレーション設定を行う。
【００１２】
本発明の一実施例において、無線モジュールはデータ伝送通路である。
【発明の効果】
【００１３】
本発明に係る有線と無線を切り替える機能を有する電子装置は、無線モジュールとの組み合わせにより、簡易なコンフィギュレーションプログラム設定を実現するとともに、ユーザーはモバイル装置のソフトウェア設定、電子装置のマイクロコントローラーによる自動判断、機械式スイッチのいずれかにより、電子装置の有線による伝送機能と無線による伝送機能を切り替えることができるため、異なる場合に適用して操作の便利性を向上させる。
【図面の簡単な説明】
【００１４】
【図１】本発明に係る実施例におけるマウスの模式図である。
【図２】本発明に係る実施例におけるマウス回路の模式図である。
【図３】本発明に係る実施例におけるマウスとホストとの有線接続の模式図である。
【図４】本発明に係る実施例におけるマウスとホストとの無線接続の模式図である。
【図５】本発明に係る別実施例におけるマウスの模式図である。
【発明を実施するための形態】
【００１５】
以下、本明細書と図面に開示された本発明の実施形態は、本発明の特徴及び技術内容をより分かりやすく説明し、本発明の理解を助けるために実施例を挙げたことに過ぎず、本発明の範囲を限定するものではない。ここに開示された実施形態以外にも、本発明の技術的思想に基づく他の変形例も実施可能であることは、本発明の属する技術分野における当業者に自明なことである。
【００１６】
（実施例）
以下、図面を参照して、例示の各実施例をより詳しく説明する。図面にはいくつかの例示の実施例を示す。しかし、本発明の技術的思想は様々な形で実現することができ、ここで説明する例示の実施例に限られると解釈すべきではない。確実に言えば、これらの例示の実施例を提供することにより、本発明をきめ細かく完備させるとともに、本発明の技術的思想のスコープを当業者に十分に伝える。各図面では、構成要素を明らかにするために、その大きさ及び相対的な大きさを誇大にすることができる。類似する要素は常に類似する符号をつける。
【００１７】
本明細書では各構成要素に対して第１の、第２、第３などの用語を使って説明することがあるが、それらの構成要素はそういう用語に制限されていないと理解すべきである。そういう用語はある構成要素と別の構成要素を区別するためだけのものである。従って、以下説明する第１の構成要素を第２の構成要素に呼び換えても本発明の技術的思想の教示から外れることはない。本明細書に使われている「及び／又は」の用語とは、列挙された関連する項目の中のいずれか及び一つ又は複数の項目を含むあらゆる組み合わせを意味する。
【００１８】
ある構成要素は別の構成要素に「接続」又は「結合」すると説明されている場合、当該構成要素は別の構成要素に直接接続又は結合してもよく、あるいは両者の間には介挿構成要素が存在してもよいと理解すべきである。逆に、ある構成要素は別の構成要素に「直接接続」又は「直接結合」すると説明されている場合、両者の間には介挿構成要素が存在していないと理解すべきである。構成要素の関係を説明するための他のことばはこのように解読すべきである（例えば、「…の間にある」に対しては「…の間に直接存在する」、「近接」に対しては「直接近接」と理解するなど）。
【００１９】
本開示内容を一層明らかに理解させるために、以下は主として、マウスを電子装置とする具体例を説明する。有線及び無線を切り替える機能を有する電子装置はキーボードやイヤホンによる実施例であってもよいことは、当業者には理解できるはずである。
【００２０】
（電子装置はマウスである実施例）
本開示内容の少なくとも一つの実施例は有線及び無線を切り替える機能を有する電子装置を提供する。電子装置は電子装置本体、無線モジュール及び充電電池を含む。電子装置本体はプラグ接続部、第１の収容部及び第２の収容部を含み、該電子装置本体は選択的にホストに接続する。本開示内容では、ユーザーがモバイル装置のソフトウェア設定の操作により、無線モジュールを介して電子装置に対してコンフィギュレーション設定を行うことができるように無線モジュールを第１の収容部に配置する。なお、モバイル装置は携帯電話又はタブレット型コンピューターにすることができる。充電電池は第２の収容部に配置され、電子装置に電力を供給する。電子装置は有線方式でホストとの通信を行う場合  （この場合、無線モジュールは無線通信インターフェースの役をする）、ユーザーは無線のモバイル装置で無線モジュールを介してコンフィギュレーションプログラムの設定を行うことができる。電子装置は無線方式でホストとの通信を行う場合も同様に、無線モジュールは無線通信インターフェースの役をして、ユーザーは無線のモバイル装置で無線モジュールを介してコンフィギュレーションプログラムの設定を行う。
【００２１】
図１、２を同時に参照してください。図１は本発明に係る実施例におけるマウスの模式図である。図２は本発明に係る実施例におけるマウス回路の模式図である。電子装置（マウス）１００は電子装置本体１１０、無線モジュール１２０、充電電池１３０を含む。なお、本実施例では、電子装置本体１１０はマウス本体（ｍｏｕｓｅ  ｂｏｄｙ）である。マウス本体は選択的にホスト（ｈｏｓｔ）に接続することができる。すなわち、マウス本体は有線また無線方式でホストに接続することができる。無線モジュール１２０は第１の収容部１１２に配置され、充電電池１３０は第２の収容部１１４に配置される。第１の収容部１１２と第２の収容部１１４はそれぞれ蓋１４０、１５０で閉塞することができる。特に、第１の収容部１１２と第２の収容部１１４にそれぞれ配置される無線モジュール１２０と充電電池１３０はいずれも電子装置１００から取り出すことができる。また、マウス本体はプラグ接続部１１６を有し、伝送ケーブル１６０を介してホストに接続することができる。なお、プラグ接続部１１６は例えば、ＵＳＢ（Ｕｎｉｖｅｒｓａｌ  Ｓｅｒｉａｌ  Ｂｕｓ；ユニバーサル・シリアル・バス）、ミニＵＳＢ（Ｍｉｎｉ  ＵＳＢ）、マイクロＵＳＢ（Ｍｉｃｒｏ  ＵＳＢ）又は他の同時に信号及び電流を転送するにふさわしい設備である。本実施例はプラグ接続部１１６の実施態様を制限することはない。
【００２２】
図２に示すように、マウス回路２００は信号処理モジュール２１０、無線モジュール２２０、充電回路２３０及び充電電池２４０を含む。無線モジュール２２０は信号処理モジュール２１０と電性的に接続する。信号処理モジュール２１０は充電回路２３０と電性的に接続する。充電回路２３０は充電電池２４０と電性的に接続する。以下、本開示内容を理解するために、図１〜図３を参照してください。図３は本発明に係る実施例におけるマウスとホストとの有線接続の模式図である。充電電池２４０を有するマウスにおいて、ユーザーがモバイル装置（例えば携帯電話又はタブレット型コンピューター）のソフトウェア設定、マウス内のマイクロコントローラーによる自動判断又は機械式スイッチにより、マウスとホスト３１０との接続関係を有線に切り替える場合、無線モジュール１２０又は２２０は無線通信インターフェースの役をする。より詳しく言うと、ユーザーは携帯電話又はタブレット型コンピューターのマウス設定アプリケーションを操作して、無線モジュール１２０又は２２０を介してマウスに対してコンフィギュレーションプログラムの設定を行うことができる。また、充電電池２４０を有するマウスにおいては、無線モジュール１２０又は２２０を介してホスト３１０とのデータ通信を行うことができ（無線マウスに類似する）、または伝送ケーブル１６０を介してホスト３１０とのデータ通信を行うことができる（ユーザーより設定できる）。なお、コンフィギュレーションの設定及びデータの処理は信号処理モジュール２１０により処理される。また、マウスは有線方式でプラグ接続部からホスト３１０に接続される場合、ホスト３１０内のパワーサプライは充電回路２３０を介して充電電池２４０を充電し、マウスの必要電力を供給する。特に、本実施例では、無線モジュール１２０又は２２０の通信規格はブルートゥース（Ｂｌｕｅｔｏｏｔｈ（登録商標））通信規格又はＺｉｇｂｅｅ（登録商標）通信規格である。
【００２３】
次に、別の実施例を参照してください。以下、本開示内容を理解するために、図１、図２及び図４を参照してください。図４は本発明に係る実施例におけるマウスとホストとの無線接続の模式図である。ユーザーがモバイル装置３２０（例えば携帯電話又はタブレット型コンピューター）のソフトウェア設定、マウス内のマイクロコントローラーによる自動判断又は機械式スイッチにより、マウスとホスト３１０との接続関係を無線（ｗｉｒｅｌｅｓｓ）に切り替える場合、本実施例では伝送ケーブル１６０という部材が要らない。充電電池２４０を有するマウスにおいて、無線モジュール１２０又は２２０は同様に無線通信インターフェースの役をする。より詳しく言うと、ユーザーは携帯電話又はタブレット型コンピューターのマウス設定アプリケーションを操作して、無線モジュール１２０又は２２０を介してマウスに対してコンフィギュレーションプログラムの設定を行うことができ、無線モジュール１２０又は２２０を介してホスト３１０とのデータ通信を行うことができる。なお、データの処理も信号処理モジュール２１０により処理される。
【００２４】
特に、マウス内の充電電池２４０が切れる場合、ユーザーはモバイル装置（例えば携帯電話又はタブレット型コンピューター）のソフトウェア設定、マウス内のマイクロコントローラーによる自動判断又は機械式スイッチにより、マウスとホスト３１０との接続関係を有線に切り替えることができ、伝送ケーブル１６０を使ってマウスとホストを接続する。すると、ホストのパワーサプライは充電回路２３０を介して充電電池２４０を充電し、マウスの必要電力を供給する。
【００２５】
注意しなければならないのは、前記マイクロコントローラーによる自動判断は検知器（図示せず）を利用してマウスの伝送ケーブル１６０がプラグ接続部１１６から脱離したことを検出すると、マウスは無線マウスモード（ｗｉｒｅｌｅｓｓ  ｍｏｕｓｅ  ｍｏｄｅ）になる。逆に、検知器はマウスの伝送ケーブル１６０がプラグ接続部１１６に接続したことを検出すると、マウスは有線マウスモード（ｗｉｒｅｄ  ｍｏｕｓｅ  ｍｏｄｅ）になる。
【００２６】
以下、別の実施例を挙げて、充電電池２４０を有しない場合のマウスを説明する。
【００２７】
以下の実施例を説明する時、前記図１〜図４の実施例と異なる部分だけを説明し、前記図１〜図４実施例と同じ部分の説明を省略する。また、説明の便宜上、類似する構成要素は類似する符号をつける。
【００２８】
図５を参照してください。図５は本発明に係る別実施例におけるマウスの模式図である。前記の図１と異なる点は、電子装置（マウス）１００は電子装置本体１１０と無線モジュール１２０を含み、充電電池という部材を含まない。それでも、ユーザーは携帯電話又はタブレット型コンピューターのマウス設定アプリケーションを操作して、無線モジュール１２０又は２２０を介してマウスに対してコンフィギュレーションプログラムの設定を行うことができる。
【００２９】
簡単に言えば、モバイル装置による操作を利用して無線モジュールを介して電子装置に対してコンフィギュレーションプログラムの設定を行うという趣旨を逸脱しないかぎり、本発明の技術的思想の開示する範囲に属する。また、充電電池を有する電子装置である場合、ユーザーがモバイル装置のソフトウェア設定を操作すること又は電子装置内のマイクロコントローラーによる自動判断或いは機械式スイッチにより、電子装置の有線モードと無線モードを切り替えるのも本発明の技術的思想の開示する範囲に属する。
【００３０】
（実施例の効果）
以上によれば、本発明に係る有線と無線を切り替える機能を有する電子装置は、無線モジュールとの組み合わせにより、簡易なコンフィギュレーションプログラム設定を実現するとともに、ユーザーはモバイル装置のソフトウェア設定、電子装置のマイクロコントローラーによる自動判断、機械式スイッチのいずれかにより、電子装置の有線による伝送機能と無線による伝送機能を切り替えることができるため、異なる場合に適用して操作の便利性を向上させる。
【００３１】
なお、上記内容は本発明の実施例に過ぎず、本発明の特許請求の範囲を限定するものではない。
【符号の説明】
【００３２】
１００：電子装置
１１０：電子装置本体
１１２：第１の収容部
１１４：第２の収容部
１１６：プラグ接続部
１２０：無線モジュール
１３０：充電電池
１４０、１５０：蓋
１６０：伝送ケーブル
２００：マウス回路
２１０：信号処理モジュール
２２０：無線モジュール
２３０：充電回路
２４０：充電電池
３１０：ホスト
３２０：携帯電話
【図１】
2014235672.tif 000003
【図２】
2014235672.tif 000004
【図３】
2014235672.tif 000005
【図４】
2014235672.tif 000006
【図５】
2014235672.tif 000007